(57)【要約】  本発明に係る通知信号送信方法は、複数の移動局ＵＥの各々が、自身で管理している第１セキュリティ情報と、受信した第１通知信号に含まれる第２セキュリティ情報とを比較することによって第１通知信号の正当性を検証する工程と、複数の移動局ＵＥの各々が、第１通知信号の正当性の検証に成功した場合、第１通知信号に対応する出力を行う工程とを有する。
2009104757.tif 000002
【特許請求の範囲】
【請求項１】
ネットワークノードが、複数の移動局に対して通知信号を送信する通知信号送信方法であって、
前記複数の移動局の各々が、自身で管理している第１セキュリティ情報と、受信した第１通知信号に含まれる第２セキュリティ情報とを比較することによって、該第１通知信号の正当性を検証する工程と、
前記複数の移動局の各々が、前記第１通知信号の正当性の検証に成功した場合、該第１通知信号に対応する出力を行う工程とを有することを特徴とする通知信号送信方法。
【請求項２】
前記第１通知信号は、無線アクセス技術を識別する無線アクセス技術識別子を含んでおり、
前記複数の移動局の各々は、前記第１通知信号に含まれる前記無線アクセス技術識別子によって識別される無線アクセス技術を用いて、前記第１通知信号に対応する第２通知信号を受信することを特徴とする請求項１に記載の通知信号送信方法。
【請求項３】
前記複数の移動局の各々は、前記検証の要否を示す検証要否識別子に応じて、該検証を行うか否かについて判定することを特徴とする請求項１に記載の通知信号送信方法。
【請求項４】
前記複数の移動局の各々は、前記第１セキュリティ情報を管理しているか否かに応じて、前記検証を行うか否かについて判定することを特徴とする請求項１に記載の通知信号送信方法。
【請求項５】
前記ネットワークノードは、１つのページングチャネルを介して、複数の第１通知信号を送信し、
前記移動局は、前記複数の第１通知信号の中から、前記検証に成功した第１通知信号に対応する出力を行うことを特徴とする請求項１に記載の通知信号送信方法。
【請求項６】
前記第１通知信号に含まれる前記第２セキュリティ情報は、所定タイミングで、前記ネットワークノードによって更新されることを特徴とする請求項１に記載の通知信号送信方法。
【請求項７】
前記移動局の各々によって管理されている前記第１セキュリティ情報は、所定タイミングで、或いは、前記ネットワークノードからの通知によって、更新されることを特徴とする請求項１に記載の通知信号送信方法。
【請求項８】
前記第１通知信号が、前記移動局の各々に対して送信すべき特定通信の存在を示す通信識別子を含む場合、前記第２セキュリティ情報は、該通信識別子内に含まれることを特徴とする請求項１に記載の通知信号送信方法。
【請求項９】
前記第２セキュリティ情報は、前記第１通知信号内の該第１通知信号が送信されている理由を示す領域内に含まれることを特徴とする請求項１に記載の通知信号送信方法。
【請求項１０】
ネットワークノードが複数の移動局に対して通知信号を送信するように構成されている移動通信システムで用いられる移動局であって、
自身で管理している第１セキュリティ情報と、受信した第１通知信号に含まれる第２セキュリティ情報とを比較することによって、該第１通知信号の正当性を検証するように構成されている検証部と、
前記第１通知信号の正当性の検証に成功した場合、該第１通知信号に対応する出力を行うように構成されている出力部とを具備することを特徴とする移動局。
【請求項１１】
前記第１通知信号は、無線アクセス技術を識別する無線アクセス技術識別子を含んでおり、
前記第１通知信号に含まれる前記無線アクセス技術識別子によって識別される無線アクセス技術を用いて、前記第１通知信号に対応する第２通知信号を受信するように構成されている受信部を具備することを特徴とする請求項１０に記載の移動局。
【請求項１２】
前記検証部は、前記検証の要否を示す検証要否識別子に応じて、該検証を行うか否かについて判定するように構成されていることを特徴とする請求項１０に記載の移動局。
【請求項１３】
前記検証部は、前記第１セキュリティ情報を管理しているか否かに応じて、前記検証を行うか否かについて判定するように構成されていることを特徴とする請求項１０に記載の移動局。
【請求項１４】
前記ネットワークノードが、１つのページングチャネルを介して、複数の第１通知信号を送信している場合、前記出力部は、該複数の第１通知信号の中から、前記検証に成功した第１通知信号に対応する出力を行うように構成されていることを特徴とする請求項１０に記載の移動局。
【請求項１５】
前記第１セキュリティ情報は、所定タイミングで、或いは、前記ネットワークノードからの通知によって、更新されるように構成されていることを特徴とする請求項１０に記載の移動局。
【発明の詳細な説明】
【技術分野】
【０００１】
本発明は、ネットワークノードが複数の移動局に対して通知信号を送信する通知信号送信方法及び移動局に関する。
【背景技術】
【０００２】
３ＧＰＰでは、地震情報や津波情報等の緊急情報を配信するための「ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）」を、「ＰＷＳ（Ｐｕｂｌｉｃ  Ｗａｒｎｉｎｇ  Ｓｙｓｔｅｍ）」のサブセットとして検討を進めている。【０００３】
図７に示すように、かかるＥＴＷＳは、ネットワークノード１（例えば、無線基地局ｅＮＢ等を含む）と、緊急情報配信サーバ３と、移動局ＵＥとを具備している。【０００４】
図８に示すように、かかるＥＴＷＳでは、ステップＳ１００１において、緊急情報配信サーバ３が、災害が発生した旨を通知する「Ｄｉｓａｓｔｅｒ  Ｎｏｔｉｆｉｃａｔｉｏｎ（緊急情報）」を、ネットワークノード１に送信する。【０００５】
ステップＳ１００２において、ネットワークノード１は、「Ｆｉｒｓｔ  Ｎｏｔｉｆｉｃａｔｉｏｎ（第1通知信号）」によって、複数の移動局ＵＥに対して、かかる災害が発生した旨を通知する。【０００６】
複数の移動局ＵＥの各々は、かかる「Ｆｉｒｓｔ  Ｎｏｔｉｆｉｃａｔｉｏｎ」を受信した場合、かかる「Ｆｉｒｓｔ  Ｎｏｔｉｆｉｃａｔｉｏｎ」に対応する出力（ブザー出力やアラーム出力やディスプレイ表示等）を行う。【０００７】
ステップＳ１００３において、ネットワークノード１は、「Ｓｅｃｏｎｄ  Ｎｏｔｉｆｉｃａｔｉｏｎ（第２通知信号）」によって、複数の移動局ＵＥに対して、上述の災害に関する詳細情報を通知する。【０００８】
ここで、複数の移動局ＵＥの各々は、上述の「Ｆｉｒｓｔ  Ｎｏｔｉｆｉｃａｔｉｏｎ」によって指定されている情報に基づいて、かかる「Ｓｅｃｏｎｄ  Ｎｏｔｉｆｉｃａｔｉｏｎ」を受信し、かかる「Ｓｅｃｏｎｄ  Ｎｏｔｉｆｉｃａｔｉｏｎ」によって通知されている詳細情報を、ディスプレイに表示する。【０００９】
上述のＥＴＷＳでは、不正な無線基地局による「Ｆａｋｅ  Ｆｉｒｓｔ  Ｎｏｔｉｆｉｃａｔｉｏｎ（不正な第1通知信号）」の送信等の脅威が考えられるため、上述の「Ｆｉｒｓｔ  Ｎｏｔｉｆｉｃａｔｉｏｎ」を、セキュアな通信によって移動局に送信する必要がある。【００１０】
図７に示すＥＷＴＳの構成において、ネットワークノード１と緊急情報配信サーバとの間のインターフェイスでは、専用回線やＩＰｓｅｃを用いたセキュアな通信によって「Ｄｉｓａｓｔｅｒ  Ｎｏｔｉｆｉｃａｔｉｏｎ」を送信しているものと想定できるが、ネットワークノード１と移動局ＵＥとの間の無線インターフェイスでは、セキュリティ通信によって「Ｆｉｒｓｔ  Ｎｏｔｉｆｉｃａｔｉｏｎ（第1通知信号）」を送信することができないという問題点があった。【００１１】
すなわち、「Ｆｉｒｓｔ  Ｎｏｔｉｆｉｃａｔｉｏｎ（第1通知信号）」が送信される時点では、ネットワークノード１と移動局ＵＥとの間で、セキュリティ通信用無線リンクが確立されていないため、無線基地局ｅＮＢと移動局ＵＥとの間の無線インターフェイスでは、セキュリティ通信によって「Ｆｉｒｓｔ  Ｎｏｔｉｆｉｃａｔｉｏｎ（第1通知信号）」を送信することができない。【００１２】
また、無線基地局ｅＮＢ、交換局ＭＭＥ又はゲートウェイ装置Ｓ-ＧＷ等のネットワークノード１と移動局ＵＥとの間で、セキュリティ通信用リンクが確立されている場合であっても、複数の移動局ＵＥが、受信した同一「Ｆｉｒｓｔ  Ｎｏｔｉｆｉｃａｔｉｏｎ」が自身宛ての「Ｆｉｒｓｔ  Ｎｏｔｉｆｉｃａｔｉｏｎ」であるか否かについて判定する必要があるため、ネットワークが、各移動局ＵＥに対して個別に確立したセキュリティ情報を用いてセキュリティをかけることができない。
【発明の開示】
【００１３】
そこで、本発明は、上述の課題に鑑みてなされたものであり、複数の移動局に対して、セキュアな通信によって通知信号を送信することができる通知信号送信方法及び移動局を提供することを目的とする。
【００１４】
本発明の第１の特徴は、ネットワークノードが、複数の移動局に対して通知信号を送信する通知信号送信方法であって、前記複数の移動局の各々が、自身で管理している第１セキュリティ情報と、受信した第１通知信号に含まれる第２セキュリティ情報とを比較することによって、該第１通知信号の正当性を検証する工程と、前記複数の移動局の各々が、前記第１通知信号の正当性の検証に成功した場合、該第１通知信号に対応する出力を行う工程とを有することを要旨とする。
【００１５】
本発明の第１の特徴において、前記第１通知信号は、無線アクセス技術を識別する無線アクセス技術識別子を含んでおり、前記複数の移動局の各々は、前記第１通知信号に含まれる前記無線アクセス技術識別子によって識別される無線アクセス技術を用いて、前記第１通知信号に対応する情報を受信してもよい。
【００１６】
本発明の第１の特徴において、前記複数の移動局の各々は、前記検証の要否を示す検証要否識別子に応じて、該検証を行うか否かについて判定してもよい。
【００１７】
本発明の第１の特徴において、前記複数の移動局の各々は、前記第１セキュリティ情報を管理しているか否かに応じて、前記検証を行うか否かについて判定してもよい。
【００１８】
本発明の第１の特徴において、前記ネットワークノードは、１つのページングチャネルを介して、複数の第１通知信号を送信し、前記移動局は、前記複数の第１通知信号の中から、前記検証に成功した第１通知信号に対応する出力を行ってもよい。
【００１９】
本発明の第１の特徴において、前記第１通知信号に含まれる前記第２セキュリティ情報は、所定タイミングで、前記ネットワークノードによって更新されてもよい。
【００２０】
本発明の第１の特徴において、前記移動局の各々によって管理されている前記第１セキュリティ情報は、所定タイミングで、或いは、前記ネットワークノードからの通知によって、更新されてもよい。
【００２１】
本発明の第１の特徴において、前記第１通知信号が、前記移動局の各々に対して送信すべき特定通信の存在を示す通信識別子を含む場合、前記第２セキュリティ情報は、該通信識別子内に含まれていてもよい。
【００２２】
本発明の第１の特徴において、前記第２セキュリティ情報は、前記第１通知信号内の該第１通知信号が送信されている理由を示す領域内に含まれていてもよい。
【００２３】
本発明の第２の特徴は、ネットワークノードが複数の移動局に対して通知信号を送信するように構成されている移動通信システムで用いられる移動局であって、自身で管理している第１セキュリティ情報と、受信した第１通知信号に含まれる第２セキュリティ情報とを比較することによって、該第１通知信号の正当性を検証するように構成されている検証部と、前記第１通知信号の正当性の検証に成功した場合、該第１通知信号に対応する出力を行うように構成されている出力部とを具備することを要旨とする。
【００２４】
本発明の第２の特徴において、前記第１通知信号は、無線アクセス技術を識別する無線アクセス技術識別子を含んでおり、前記第１通知信号に含まれる前記無線アクセス技術識別子によって識別される無線アクセス技術を用いて、前記第１通知信号に対応する情報を受信するように構成されている受信部を具備してもよい。
【００２５】
本発明の第２の特徴において、前記検証部は、前記検証の要否を示す検証要否識別子に応じて、該検証を行うか否かについて判定するように構成されていてもよい。
【００２６】
本発明の第２の特徴において、前記検証部は、前記第１セキュリティ情報を管理しているか否かに応じて、前記検証を行うか否かについて判定するように構成されていてもよい。
【００２７】
本発明の第２の特徴において、前記ネットワークノードが、１つのページングチャネルを介して、複数の第１通知信号を送信している場合、前記出力部は、該複数の第１通知信号の中から、前記検証に成功した第１通知信号に対応する出力を行うように構成されていてもよい。
【００２８】
本発明の第２の特徴において、前記第１セキュリティ情報は、所定タイミングで、或いは、前記ネットワークノードからの通知によって、更新されるように構成されていてもよい。
【図面の簡単な説明】
【００２９】
【図１】図１は、本発明の第１の実施形態に係る移動局の機能ブロック図である。
【図２】図２は、本発明の第１の実施形態に係るネットワークノードによって送信される「Ｆｉｒｓｔ  Ｎｏｔｉｆｉｃａｔｉｏｎ（第１通知信号）」について説明するための図である。
【図３】図３は、本発明の第１の実施形態に係る移動局によって行われる検証について説明するための図である。
【図４】図４は、本発明の第１の実施形態に係る移動局によって行われる検証について説明するための図である。
【図５】図５は、本発明の第１の実施形態に係る移動局の動作を説明するためのフローチャートである。
【図６】図６は、本発明の第１の実施形態に係る移動局の動作を説明するためのフローチャートである。
【図７】図７は、ＥＷＴＳの全体構成図である。
【図８】図８は、ＥＷＴＳにおける緊急情報を送信する動作について説明するためのシーケンス図である。
【発明を実施するための最良の形態】
【００３０】
（本発明の第１の実施形態に係る移動通信システムの構成）
図１乃至図４を参照して、本発明の第１の実施形態に係る移動通信システムの構成について説明する。【００３１】
本発明の第１の実施形態に係る移動通信システムは、図７に示すＥＴＷＳと同様の構成を具備しており、ネットワークノード１が、複数の移動局ＵＥに対して通知信号（例えば、緊急情報）を送信するように構成されている。【００３２】
なお、本発明は、ＬＴＥ（Ｌｏｎｇ  Ｔｅｒｍ  Ｅｖｏｌｕｔｉｏｎ）方式の移動通信システムや、Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システムや、３ＧＰＰ２方式の移動通信システムや、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の移動通信システムや、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式の移動通信システム等、任意の方式の移動通信システムに適用可能である。【００３３】
例えば、本発明が、ＬＴＥ方式の移動通信システムに用いられている場合、ネットワークノード１は、無線基地局ｅＮＢであり、本発明が、Ｗ-ＣＤＭＡ方式の移動通信システムに用いられている場合、ネットワークノード１は、無線制御局ＲＮＣである。【００３４】
図１に示すように、本実施形態に係る移動局ＵＥは、第1通知信号受信部１１と、セキュリティ情報管理部１２と、検証部１３と、出力部１４と、第２通知信号受信部１５とを具備している。【００３５】
第1通知信号受信部１１は、ネットワークノード１によって送信された「Ｆｉｒｓｔ  Ｎｏｔｉｆｉｃａｔｉｏｎ（第1通知信号）」を受信するように構成されている。【００３６】
例えば、第1通知信号受信部１１は、ページングチャネル（ＰＣＨ：Ｐａｇｉｎｇ  Ｃｈａｎｎｅｌ）を介して、「Ｆｉｒｓｔ  Ｎｏｔｉｆｉｃａｔｉｏｎ（第1通知信号）」を受信するように構成されていてもよいし、報知情報（例えば、ＳＩＢ１０/ＳＩＢ１１）を介して、「Ｆｉｒｓｔ  Ｎｏｔｉｆｉｃａｔｉｏｎ（第1通知信号）」を受信するように構成されていてもよい。【００３７】
図２に示すように、かかる「Ｆｉｒｓｔ  Ｎｏｔｉｆｉｃａｔｉｏｎ（第１通知信号）」は、「ＭＣＣ（Ｍｏｂｉｌｅ  Ｃｏｕｎｔｒｙ  Ｃｏｄｅ）」と「ＭＮＣ（Ｍｏｂｉｌｅ  Ｎｅｔｗｏｒｋ  Ｃｏｄｅ）」と「ＭＳＩＮ（Ｍｏｂｉｌｅ  Ｓｕｂｓｃｒｉｂｅｒ  Ｉｄｅｎｔｉｆｉｃａｔｉｏｎ  Ｎｕｍｂｅｒ）」とによって構成されている「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」を具備している。【００３８】
基本的に、「ＩＭＳＩ」は、グローバルに移動局ＵＥを識別するための識別子であるが、複数の移動局ＵＥの各々に対して送信すべき特定通信（例えば、地震情報や津波情報等の緊急情報）の存在を示す通信識別子としての役割も果たす。【００３９】
例えば、緊急通信を通知するための「Ｆｉｒｓｔ  Ｎｏｔｉｆｉｃａｔｉｏｎ（第１通知信号）」に設定されており、緊急情報の存在を示す通信識別子としての役割を果たす「ＩＭＳＩ」では、「ＭＣＣ」が「９０１」と設定されており、「ＭＮＣ」が「０８」と設定されている。【００４０】
また、かかる「ＩＭＳＩ」における「ＭＳＩＮ」には、例えば、「Ｄｉｓａｓｔｅｒ  ｔｙｐｅ（２ビット）」や、「ＲＡＴ  ｉｎｆｏ（２ビット）」や、「Ｆｒｅｑｕｅｎｃｙ（１４ビット）」や、「Ｃｈａｎｎｅｌ  Ｔｙｐｅ（１ビット）」や、「Ｓｅｃｕｒｉｔｙ  ｏｎ/ｏｆｆ  ｂｉｔ（１ビット）」や、「セキュリティビット（第２セキュリティ情報）」等が設定されている。【００４１】
ここで、「Ｄｉｓａｓｔｅｒ  ｔｙｐｅ」は、地震や津波やテロ等の災害の種別を示すものであり、「ＲＡＴ  ｉｎｆｏ」は、「Ｓｅｃｏｎｄ  Ｎｏｔｉｆｉｃａｔｉｏｎ」の送信に用いられる無線アクセス技術（ＧＳＭ方式やＵＭＴＳ方式やＬＴＥ方式や３ＧＰＰ２方式等）を示すものである。【００４２】
また、「Ｆｒｅｑｕｅｎｃｙ」は、「Ｓｅｃｏｎｄ  Ｎｏｔｉｆｉｃａｔｉｏｎ」の送信に用いられる周波数を示すものであり、「Ｃｈａｎｎｅｌ  Ｔｙｐｅ」は、「Ｓｅｃｏｎｄ  Ｎｏｔｉｆｉｃａｔｉｏｎ」の送信に用いられるチャネルの種別（ＣＢＳ用チャネルやＭＳＭＳ用チャネル）を示すものである。【００４３】
「Ｓｅｃｕｒｉｔｙ  ｏｎ/ｏｆｆ  ｂｉｔ」は、移動局ＵＥによる「Ｆｉｒｓｔ  Ｎｏｔｉｆｉｃａｔｉｏｎ（第１通知信号）」の正当性の検証の要否を示す（すなわち、「Ｆｉｒｓｔ  Ｎｏｔｉｆｉｃａｔｉｏｎ（第１通知信号）」にセキュリティビット（第２セキュリティ情報）が設定されているか否かについて示す）ものである。【００４４】
なお、「Ｆｉｒｓｔ  Ｎｏｔｉｆｉｃａｔｉｏｎ（第１通知信号）」に含まれる「セキュリティビット（第２セキュリティ情報）」は、所定タイミングで、ネットワークノード１によって更新されるように構成されている。【００４５】
また、上述の「ＩＭＳＩ」の「ＭＳＩＮ」に含まれている情報の一部（例えば、「セキュリティビット（第２セキュリティ情報）」）は、「Ｆｉｒｓｔ  Ｎｏｔｉｆｉｃａｔｉｏｎ（第１通知信号）」内の当該「Ｆｉｒｓｔ  Ｎｏｔｉｆｉｃａｔｉｏｎ（第１通知信号）」が送信されている理由を示す領域である「Ｐａｇｉｎｇ  Ｃａｕｓｅ」に含まれていてもよい。【００４６】
セキュリティ情報管理部１２は、セキュリティ情報（第１セキュリティ情報）を管理するように構成されている。【００４７】
具体的には、セキュリティ情報管理部１２は、当該移動局ＵＥによる位置登録処理（Ａｔｔａｃｈ処理）時や位置登録更新処理（ＴＡＵ：Ｔｒａｃｋｉｎｇ  Ａｒｅａ  Ｕｐｄａｔｅ処理）時等に、ネットワークノード１から、セキュリティ情報（第１セキュリティ情報）を取得するように構成されている。【００４８】
なお、セキュリティ情報管理部１２は、所定タイミングで（例えば、定期的に）、或いは、ネットワークノード１からの通知によって、かかるセキュリティ情報（第１セキュリティ情報）を更新するように構成されている。【００４９】
検証部１３は、セキュリティ情報管理部１２によって管理されているセキュリティ情報（第１セキュリティ情報）と、第１通知信号受信部１１によって受信された「Ｆｉｒｓｔ  Ｎｏｔｉｆｉｃａｔｉｏｎ（第１通知信号）」に含まれる「セキュリティビット（第２セキュリティ情報）」とを比較することによって、かかる「Ｆｉｒｓｔ  Ｎｏｔｉｆｉｃａｔｉｏｎ（第１通知信号）」の正当性を検証するように構成されている。【００５０】
例えば、図３に示すように、検証部１３は、セキュリティ情報管理部１２によって管理されているセキュリティ情報（第１セキュリティ情報）と、「Ｆｉｒｓｔ  Ｎｏｔｉｆｉｃａｔｉｏｎ（第１通知信号）」に含まれる「セキュリティビット（第２セキュリティ情報）」とが一致する場合に、当該検証に成功したと判定するように構成されていてもよい。【００５１】
また、図４に示すように、検証部１３は、セキュリティ情報管理部１２によって管理されているセキュリティ情報（第１セキュリティ情報）と「Ｆｉｒｓｔ  Ｎｏｔｉｆｉｃａｔｉｏｎ（第１通知信号）」に含まれる「セキュリティビット（第２セキュリティ情報）」以外の情報（非セキュリティビット）と所定のキー（例えば、事前に配布されている固定値）とを所定のセキュリティ関数に入力することによって得られたセキュリティビットと、「Ｆｉｒｓｔ  Ｎｏｔｉｆｉｃａｔｉｏｎ（第１通知信号）」に含まれる「セキュリティビット（第２セキュリティ情報）」とが一致する場合に、当該検証に成功したと判定するように構成されていてもよい。【００５２】
ここで、検証部１３は、「Ｆｉｒｓｔ  Ｎｏｔｉｆｉｃａｔｉｏｎ（第１通知信号）」に含まれる「Ｓｅｃｕｒｉｔｙ  ｏｎ/ｏｆｆ  ｂｉｔ（検証要否識別子）」に応じて、当該移動局ＵＥによる当該「Ｆｉｒｓｔ  Ｎｏｔｉｆｉｃａｔｉｏｎ（第１通知信号）」の正当性の検証を行うか否かについて判定するように構成されていてもよい。【００５３】
すなわち、検証部１３は、「Ｆｉｒｓｔ  Ｎｏｔｉｆｉｃａｔｉｏｎ（第１通知信号）」に含まれる「Ｓｅｃｕｒｉｔｙ  ｏｎ/ｏｆｆ  ｂｉｔ（検証要否識別子）」が「ＯＮ」である場合にのみ、当該移動局ＵＥによる当該「Ｆｉｒｓｔ  Ｎｏｔｉｆｉｃａｔｉｏｎ（第１通知信号）」の正当性の検証を行うべきであると判定するように構成されていてもよい。【００５４】
また、検証部１３は、セキュリティ情報管理部１２によってセキュリティ情報（第１セキュリティ情報）が管理されているか否かに応じて、当該移動局ＵＥによる当該「Ｆｉｒｓｔ  Ｎｏｔｉｆｉｃａｔｉｏｎ（第１通知信号）」の正当性の検証を行うか否かについて判定するように構成されていてもよい。【００５５】
すなわち、検証部１３は、セキュリティ情報管理部１２によってセキュリティ情報（第１セキュリティ情報）が管理されている場合にのみ、当該移動局ＵＥによる当該「Ｆｉｒｓｔ  Ｎｏｔｉｆｉｃａｔｉｏｎ（第１通知信号）」の正当性の検証を行うべきであると判定するように構成されていてもよい。【００５６】
出力部１４は、検証部１３による「Ｆｉｒｓｔ  Ｎｏｔｉｆｉｃａｔｉｏｎ（第１通知信号）」の正当性の検証に成功した場合、「Ｆｉｒｓｔ  Ｎｏｔｉｆｉｃａｔｉｏｎ（第１通知信号）」に対応する出力（ブザー出力やアラーム出力やディスプレイ表示等）を行うように構成されている。【００５７】
ネットワークノードによって、１つのページングチャネルを介して、複数の「Ｆｉｒｓｔ  Ｎｏｔｉｆｉｃａｔｉｏｎ（第１通知信号）」が送信されている場合、出力部１４は、複数の「Ｆｉｒｓｔ  Ｎｏｔｉｆｉｃａｔｉｏｎ（第１通知信号）」の中から、上述の検証に成功した「Ｆｉｒｓｔ  Ｎｏｔｉｆｉｃａｔｉｏｎ（第１通知信号）」に対応する出力を行うように構成されていてもよい。【００５８】
また、出力部１４は、第２通知信号受信部１５によって受信された緊急情報の詳細情報（「Ｆｉｒｓｔ  Ｎｏｔｉｆｉｃａｔｉｏｎ（第１通知信号）」に対応する「Ｓｅｃｏｎｄ  Ｎｏｔｉｆｉｃａｔｉｏｎ（第２通知信号）」）を、ディスプレイに表示するように構成されている。【００５９】
例えば、詳細情報（第２通知信号）としては、地震の震度や避難地や食料の配布時間・場所等を示す情報が想定される。詳細情報は、小容量のテキストデータであってもよいし、大容量のデータであってもよい。【００６０】
第２通知信号報受信部１５は、上述の検証に成功した場合に、上述の「Ｆｉｒｓｔ  Ｎｏｔｉｆｉｃａｔｉｏｎ（第１通知信号）」によって指定されている情報に基づいて、上述の詳細情報（第２通知信号）を受信するように構成されている。  例えば、第２通知信号受信部１５は、上述の検証に成功した場合に、上述の「Ｆｉｒｓｔ  Ｎｏｔｉｆｉｃａｔｉｏｎ（第１通知信号）」に含まれている「Ｃｈａｎｎｅｌ  Ｔｙｐｅ」や「Ｆｒｅｑｕｅｎｃｙ」等によって特定されるチャネルを介して、上述の詳細情報（第２通知信号）を受信するように構成されていてもよい。【００６１】
また、第２通知信号受信部１５は、上述の検証に成功した場合に、上述の「Ｆｉｒｓｔ  Ｎｏｔｉｆｉｃａｔｉｏｎ（第１通知信号）」に含まれている「ＲＡＴ  ｉｎｆｏ（無線アクセス技術識別子）」によって識別される無線アクセス技術（例えば、ＬＴＥ方式等）を用いて、上述の詳細情報（第２通知信号）を受信するように構成されていてもよい。【００６２】
また、第２通知信号受信部１５は、上述の検証に成功した場合に、上述の「Ｆｉｒｓｔ  Ｎｏｔｉｆｉｃａｔｉｏｎ（第１通知信号）」と同時に受信されている上述の詳細情報（第２通知信号）を受信するように構成されてもよい。【００６３】
（本発明の第１の実施形態に係る移動通信システムの動作）
図５及び図６を参照して、本発明の第１の実施形態に係る移動通信システムにおける移動局ＵＥの動作について説明する。【００６４】
第１の動作では、図５に示すように、ステップＳ１０１において、移動局ＵＥは、ネットワークノード１から、「Ｆｉｒｓｔ  Ｎｏｔｉｆｉｃａｔｉｏｎ（第１通知信号）」を受信する。【００６５】
例えば、ＬＴＥ方式の移動通信システムにおいて、移動局ＵＥは、ＰＣＨを介して受信したページング信号内の「ＥＴＷＳ  Ｉｎｄｉｃａｔｉｏｎ」に「Ｔｒｕｅ」が設定されている場合に、報知情報（ＳＩＢ１０/ＳＩＢ１１）内に「ＥＴＷＳ  Ｉｎｆｏｒｍａｔｉｏｎ」として含まれる「Ｆｉｒｓｔ  Ｎｏｔｉｆｉｃａｔｉｏｎ（第１通知信号）」を受信してもよい。【００６６】
また、ＷＣＤＭＡ方式の移動通信システムにおいて、移動局ＵＥは、ＰＣＨを介してページング信号内に含まれる「Ｆｉｒｓｔ  Ｎｏｔｉｆｉｃａｔｉｏｎ（第１通知信号）」を受信してもよい。【００６７】
ステップＳ１０２において、移動局ＵＥは、受信した「Ｆｉｒｓｔ  Ｎｏｔｉｆｉｃａｔｉｏｎ（第１通知信号）」に含まれる「Ｓｅｃｕｒｉｔｙ  ｏｎ/ｏｆｆ  ｂｉｔ（検証要否識別子）」が「ＯＮ」であるか否かについて判定する。【００６８】
ここで、移動局ＵＥは、受信した報知情報（ＳＩＢ１０/ＳＩＢ１１）内の「Ｆｉｒｓｔ  Ｎｏｔｉｆｉｃａｔｉｏｎ（第１通知信号）」におけるセキュリティ情報の有無について判定してもよい。【００６９】
「ＯＮ（又は、セキュリティ情報有り）」である場合には、本動作は、ステップＳ１０３に進み、「ＯＦＦ（又は、セキュリティ情報無し）」である場合に、本動作は、ステップＳ１０４に進む。【００７０】
ステップＳ１０３において、移動局ＵＥは、「Ｆｉｒｓｔ  Ｎｏｔｉｆｉｃａｔｉｏｎ（第１通知信号ページング信号に含まれる「セキュリティビット（第２セキュリティ情報）」と、自身が管理している「セキュリティ情報（第１セキュリティ情報）」とを用いて、当該移動局ＵＥによる当該「Ｆｉｒｓｔ  Ｎｏｔｉｆｉｃａｔｉｏｎ（第１通知信号）」の正当性の検証を行う。【００７１】
かかる検証に成功した場合、本動作は、ステップＳ１０４に進み、かかる検証に失敗した場合、本動作は、ステップＳ１０７に進む。【００７２】
ステップＳ１０４において、移動局ＵＥは、かかる「Ｆｉｒｓｔ  Ｎｏｔｉｆｉｃａｔｉｏｎ（第１通知信号）」に対応する出力（例えば、緊急情報の速報等のディスプレイ表示）を行う。【００７３】
移動局ＵＥは、ステップＳ１０５において、「Ｆｉｒｓｔ  Ｎｏｔｉｆｉｃａｔｉｏｎ（第１通知信号）」に対応する「Ｓｅｃｏｎｄ  Ｎｏｔｉｆｉｃａｔｉｏｎ（第２通知信号）」を受信し、ステップＳ１０６において、当該「Ｓｅｃｏｎｄ  Ｎｏｔｉｆｉｃａｔｉｏｎ（第２通知信号）」によって通知された詳細情報を、ディスプレイに表示する。【００７４】
ステップＳ１０７では、移動局ＵＥでは、ステップＳ１０３における検証が失敗した旨を示す出力を行う。【００７５】
一方、第２の動作では、図６に示すように、ステップＳ２０２において、移動局ＵＥは、「セキュリティ情報（第１セキュリティ情報）」を管理しているか否かについて判定し、管理していると判定された場合には、本動作は、ステップＳ２０３に進み、管理していないと判定された場合には、本動作は、ステップＳ２０４に進む。【００７６】
その他のステップの動作は、上述の第１の動作におけるステップの動作と同一である。【００７７】
（本発明の第１の実施形態に係る移動通信システムの作用・効果）
本発明の第１の実施形態に係る移動通信システムによれば、移動局ＵＥが、「Ｆｉｒｓｔ  Ｎｏｔｉｆｉｃａｔｉｏｎ（第１通知信号）」に含まれる「セキュリティビット（第２セキュリティ情報）」及び自身で管理している「セキュリティ情報（第１セキュリティ情報）」に基づいて、当該「Ｆｉｒｓｔ  Ｎｏｔｉｆｉｃａｔｉｏｎ（第１通知信号）」の正当性の検証を行うように構成されているため、セキュアな通信による第１通知信号の送信を実現することができる。【００７８】
また、本発明の第１の実施形態に係る移動通信システムによれば、「Ｆｉｒｓｔ  Ｎｏｔｉｆｉｃａｔｉｏｎ（第１通知信号）」で「セキュリティビット（第２セキュリティ情報）」を送信しているため、緊急情報の発生した後、早急に、移動局ＵＥにおいて緊急情報を出力することができる。【００７９】
具体的には、本発明の第１の実施形態に係る移動通信システムによれば、図２に示すように、「Ｆｉｒｓｔ  Ｎｏｔｉｆｉｃａｔｉｏｎ（第１通知信号）」の送信から、約４秒後に、移動局ＵＥにおいて緊急情報を出力することができる。【００８０】
なお、上述の移動局ＵＥやネットワークノード１の動作は、ハードウェアによって実施されてもよいし、プロセッサによって実行されるソフトウェアモジュールによって実施されてもよいし、両者の組み合わせによって実施されてもよい。【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやネットワークノード１内に設けられていてもよい。また、かかる記憶媒体及びプロセッサは、ディスクリートコンポーネントとして移動局ＵＥやネットワークノード１内に設けられていてもよい。【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００８４】
なお、日本国特許出願第２００８−０４０７３５号（２００８年２月２１日出願）の全内容が、参照により、本願明細書に組み込まれている。
【産業上の利用可能性】
【００８５】
以上説明したように、本発明によれば、複数の移動局に対して、セキュアな通信によって通知信号を送信することができる通知信号送信方法及び移動局を提供することができる。
【図１】
2009104757.tif 000003
【図２】
2009104757.tif 000004
【図３】
2009104757.tif 000005
【図４】
2009104757.tif 000006
【図５】
2009104757.tif 000007
【図６】
2009104757.tif 000008
【図７】
2009104757.tif 000009
【図８】
2009104757.tif 000010
【国際調査報告】
2009104757.tif 000011
2009104757.tif 000012
2009104757.tif 000013